(57)【特許請求の範囲】
【請求項１】
液透過性の表面シート、液不透過性の裏面シート、及び前記表面シートと前記裏面シートとの間に配置される吸収体を有し、前記吸収体には、前記表面シート及び前記吸収体を吸収性物品の厚み方向に圧縮した圧搾部が複数形成されている、吸収性物品であって、
前記吸収体は、着用者の股間部と当接する領域に含まれ、着用者の膣口に対向して配置される排泄口当接領域を備えており、
前記圧搾部は、前記排泄口当接領域に配置された点状圧搾部と、前記排泄口当接領域よりも後方で前記吸収体の幅方向の中心を含む領域を取り囲むように点線又は線状に形成された囲み圧搾部と、前記囲み圧搾部よりも幅方向両側方に配置され、かつ前記囲み圧搾部よりも幅方向外側から前記排泄口当接領域まで延びる一対の長手方向圧搾部と、を備えており、
前記囲み圧搾部で囲まれた領域は、前記囲み圧搾部で囲まれた領域全体の５％以下の部分に圧搾部が形成された領域か、圧搾部が形成されていない領域であって、１５〜４０ｍｍの最大幅及び６０〜１２０ｍｍの最大長さを有し、前記排泄口当接領域に対して前記幅方向外側から前記幅方向内側に向かう力が加えられた際に、前記長手方向圧搾部及び前記囲み圧搾部を介して前記幅方向内側に押圧され、着用者の肌当接面側に隆起可能に構成されている、吸収性物品。
【請求項２】
前記圧搾部は、前記吸収性物品の幅方向に延びる幅方向圧搾部と、前記囲み圧搾部よりも後方に設けられた第２の点状圧搾部と、を更に備えており、
前記幅方向圧搾部は、前記第２の点状圧搾部と前記囲み圧搾部との間に設けられている、請求項１に記載の吸収性物品。
【請求項３】
前記囲み圧搾部と前記長手方向圧搾部との間には、第３の点状圧搾部が複数間欠的に形成されている、請求項１又は請求項２に記載の吸収性物品。
【請求項４】
前記長手方向圧搾部は、前記長手方向に沿って幅方向内側から外側に向かって曲がる第１曲線部と、前記長手方向に沿って幅方向外側から内側に向かって曲がる第２曲線部とが設けられており、
前記第１曲線部と前記第２曲線部との境界である変曲点は、前記囲み圧搾部で囲まれた領域における幅方向の長さが最も長くなる最大幅位置よりも後方に配置されている、請求項１から請求項３のいずれかに記載の吸収性物品。
【請求項５】
前記囲み圧搾部で囲まれた領域の前記幅方向の長さは、前記吸収性物品の後方に向かって除々に短くなるように構成されている、請求項１から請求項４のいずれかに記載の吸収性物品。
【請求項６】
前記囲み圧搾部で囲まれた領域に位置する前記吸収体には、前記長手方向に沿ったスリットが形成されている、請求項１から請求項５のいずれかに記載の吸収性物品。
【発明の詳細な説明】
【技術分野】
【０００１】
本発明は、生理用ナプキン等の吸収性物品に関し、フィット性を高めて後方への体液の漏れを防止することができる吸収性物品に関する。
【背景技術】
【０００２】
特許文献１には、液透過性の表面シートと、液不透過性の裏面シートと、表面シートと裏面シートとの間に配置される吸収体とを有する吸収性物品としての生理用ナプキンにおいて、着用者の臀部に当接する後方部の吸収体の厚み寸法を厚く構成した生理用ナプキンが記載されている。特許文献１の生理用ナプキンは、臀部に当接する吸収体の厚みが厚く構成されているため、臀部に沿って吸収体が配置され、後方への体液の漏れを防止することができる。
【先行技術文献】
【特許文献】
【０００３】
【特許文献１】特開２００９−１１２８６４号公報（図１等）
【発明の概要】
【発明が解決しようとする課題】
【０００４】
ところで、近年、使用感を低減して装着感を向上させることができるため、吸収体の厚みを薄くした薄型の生理用ナプキンが求められる傾向がある。しかし、このような薄型の生理用ナプキンでは、吸収体の厚みが薄くなるため、臀部に沿って吸収体が配置され難くなる。よって、生理用ナプキンのフィット性が低下し、後方への体液の漏れを防止することができないおそれがある。
【０００５】
本発明は、上述の課題に鑑みてなされたものであり、装着感を向上させつつ、後方への体液の漏れを防止することができる吸収性物品を提供することを目的とする。
【課題を解決するための手段】
【０００６】
上述した課題を解決するため、本発明に係る吸収性物品は、液透過性の表面シート（表面シート１０）、液不透過性の裏面シート（裏面シート２０）、及び前記表面シートと前記裏面シートとの間に配置される吸収体（吸収体３０）を有し、前記吸収体には、前記表面シート及び前記吸収体を吸収性物品の厚み方向に圧縮した圧搾部（圧搾部８０）が複数形成されている、吸収性物品（吸収性物品１）であって、前記吸収体は、着用者の排泄口に対向して配置される排泄口当接領域の中心（中央領域長手中心ＣＡＣＬ）を含み、かつ前記圧搾部が形成された第１領域（第１領域ＰＡ）と、前記第１領域よりも前記吸収性物品の後方に配置され、前記圧搾部が形成されていない第２領域（第２領域ＮＡ）とを備えており、前記圧搾部は、前記第２領域の外周に沿って配置された囲み圧搾部（囲み圧搾部８４）と、前記第２領域の幅方向両側方に配置され、かつ前記第２領域の幅方向外側から前記第１領域まで延びる一対の長手方向圧搾部（長手方向圧搾部８１）と、を備えており、前記第２領域は、前記第１領域に対して前記幅方向外側から前記幅方向内側に向かう力が加えられた際に、長手方向圧搾部及び前記囲み圧搾部を介して前記幅方向内側に押圧され、着用者の肌当接面側に隆起可能に構成されていることを要旨とする。
【発明の効果】
【０００７】
吸収性物品の第１領域は、排泄口当接領域の中心を含む領域であり、着用者が脚を閉じた際等に幅方向外側から内側に向かって力が掛かる部分である。この第１領域に長手方向圧搾部が配置されているため、吸収性物品は、幅方向外側から内側に向かって力がかかった際に、長手方向圧搾部を基点にして内側に変形する。
【０００８】
長手方向圧搾部よりも幅方向内側には、囲み圧搾部が周囲に配置された第２領域が配置されている。第２領域は、長手方向圧搾部及び囲み圧搾部を基点に幅方向内側に変形する。第２領域は、圧搾部が形成されていない領域であり、幅方向外側からの外力によって生じる応力により、着用者の肌当接面側に隆起可能に構成されている。よって、排泄口当接領域の中心を含む第１領域よりも後方に位置する第２領域が着用者の身体側に膨出し、身体の曲線に沿って吸収体が配置され、後漏れを防ぐことができる。
【０００９】
一方、排泄口当接領域を含む第１領域には、圧搾部が形成されており、第２領域に比べて変形し難い。よって、第１領域は、幅方向外側から内側に向かって力が掛かった際に変形し難く、第１領域が排泄口に対向した状態を維持しやすくなる。
【図面の簡単な説明】
【００１０】
【図１】第１の実施形態に係る吸収性物品の肌当接面側から見た平面図である。
【図２】図１に示す吸収性物品の背面図である。
【図３】図１に示すＡ−Ａ断面の模式断面図である。
【図４】図１に示すＢ−Ｂ断面の模式断面図である。
【図５】第１の実施形態に係る吸収性物品の肌当接面側から見た平面図である。
【図６】図１に示す吸収性物品の着用した状態を模式的に示す断面図である。（ａ）は、変形前の状態であり、（ｂ）は、変形後の状態である。
【図７】第２の実施形態に係る吸収性物品の肌当接面側から見た平面図である。
【図８】第３の実施形態に係る吸収性物品の肌当接面側から見た平面図である。
【図９】第４の実施形態に係る吸収性物品の肌当接面側から見た平面図である。
【図１０】第５の実施形態に係る吸収性物品の肌当接面側から見た平面図である。
【発明を実施するための形態】
【００１１】
（第１の実施形態）
図１及び図２を参照して、本発明の第１の実施形態に係る吸収性物品１について説明する。図１は、吸収性物品の平面図であり、図２は、吸収性物品の背面図である。図３は、図１に示すＡ−Ａ断面図であり、図４は、図１に示すＢ−Ｂ断面図である。本実施形態に係る吸収性物品１は、例えば、生理用ナプキンである。
【００１２】
実施の形態に係る吸収性物品は、夜用の生理用ナプキンである。したがって、本実施の形態に係る吸収性物品は、長手方向において着用者の前側に位置する前側領域ＦＡよりも、着用者の後側に位置する後側領域ＢＡの方が長く構成されている。なお、後述する一対のウイング部の間の領域は、着用者の排泄口が当接する排泄口当接領域を含む中央領域ＣＡである。中央領域ＣＡよりも前側が前側領域ＦＡとなり、中央領域ＣＡよりも後側が後側領域ＢＡとなる。
【００１３】
なお、本実施の形態では、夜用の生理用ナプキンを例に挙げて説明しているが、本発明に係る吸収性物品は、昼用の生理用ナプキンにおいても適用することができる。昼用の生理用ナプキンは、本実施の形態に係る生理用ナプキンと比較して、後側領域の長手方向における長さが短い。例えば、昼用の生理用ナプキンの後側領域の長さは、前側領域と略同じ長さとなる。
【００１４】
吸収性物品１は、着用者の肌に当接する表面シート１０と、液体を透過しない液不透過性の裏面シート２０と、吸収体３０とを有する。吸収体３０は、表面シート１０と裏面シート２０との間に配設される。従って、吸収体３０は、図１及び図２において破線で示される。吸収体３０は、吸収性物品１の長手方向Ｌ及び幅方向Ｗにおける中央部分に配設される。
【００１５】
吸収性物品１は、図１に示す平面視にて、長手方向Ｌに直交する幅方向Ｗにおいて吸収体３０の外側に設けられるウイング部４３,４４を備える。更に、吸収性物品１は、幅方向Ｗにおいて吸収体３０の外側に設けられるサイドシート４１，４２を備える。
【００１６】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１７】
裏面シート２０は、表面シート１０の長さと略同一の長さを有する。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。裏面シート２０は、不透液性且つ透湿性であることが望ましく、例えばポリエチレンやポリプロピレン等のオレフィン系樹脂に無機充填剤を溶融混練したものを延伸処理した微多孔性シートによって構成することができる。
【００１８】
吸収体３０は、親水性繊維、パルプを含む。吸収体３０は、経血などの体液を吸収可能な材料によって形成される。吸収体３０は、親水性繊維又は粉体をエアレイド法によって積層して形成されてもよいし、親水性繊維又は粉体をエアレイド法によってシート状に成形したエアレイドシートでもよいし、ティッシュ（例えば、目付１５ｇ／ｍ２）上に高吸収ポリマーを混入した粉砕パルプを配置し、ティッシュで包むことによって形成されていてもよい。
【００１９】
本実施の形態に係る吸収体３０は、綿状パルプや合成パルプ等を坪量１００〜３００ｇ／ｍ２程度に積層したパルプを保護紙（図示せず）で包むことによって構成されている。吸収体３０の幅方向における中央に位置するコア部３１（例えば、図３参照）の厚みは、幅方向における両側部の厚みよりも厚い。なお、吸収体３０は、全面ほぼ均一な厚みであってもよいし、非均一な厚みであってもよい。保護紙は、パルプの形状を保持するためのものであり、例えばクレープ紙やティッシュペーパーなどを用いることができる。
【００２０】
吸収体３０は、前後方向に延びる形状であり、裏面シート２０よりも略一回り程度小さい。吸収体３０の幅方向Ｗの長さは、成人女性の股間隔に対応しており、概ね５０〜８０ｍｍである。吸収体３０は、ホットメルトなどの接着剤によって裏面シート２０に接着される。また、本実施の形態では、吸収体３０と表面シート１０とは、ホットメルト接着剤６０によって接着されている（図３参照）。
【００２１】
コア部３１は、少なくとも着用者の排泄口が当接する排泄口当接領域の中心を含むように設けられる。排泄口当接領域の中心とは、着用者の排泄口が当接する中央領域の長手方向及び幅方向の中心と一致する。例えば、ウイング部を有する吸収性物品においては、ウイング部の長手方向の中心が、中央領域の長手方向の中心となる。また、ウイング部を有しない吸収性物品においては、吸収体の幅方向の長さ寸法が最も短い位置が、中央領域の長手方向の中心となる。なお、排泄口当接領域は、着用者の股間部と当接する領域に含まれており、着用者の両脚の間に位置する。
【００２２】
サイドシート４１，４２は、表面シート１０の両側に配設される。サイドシート４１，４２は、表面シート１０と同様の材料から選ぶことができる。但し、サイドシート４１，４２を乗り越えて吸収性物品１外方へ経血が流れることを防止するためには、疎水性又は撥水性を有することが好ましい。サイドシート４１，４２は、吸収体３０の側縁の一部及びウイング部４３，４４を覆う。
【００２３】
吸収性物品１では、表面シート１０、サイドシート４１，４２、及び裏面シート２０の周縁が接合されて、吸収体３０が内封される。表面シート１０と裏面シート２０との接合方法としては、ヒートエンボス加工、超音波、又はホットメルト接着剤のいずれか一つ、又は複数を組み合わせることが可能である。
【００２４】
裏面シート２０において、下着と接触する表面には、複数の領域において粘着剤５０が塗布されている（図２参照）。粘着剤５０は、吸収体の裏面側において長手方向Ｌに沿って間欠的に配置されている。粘着剤５０は、ウイング部４３及びウイング部４４において、下着と接触する表面にも設けられる。使用前の状態では、粘着剤５０は、剥離シート９０に接している。剥離シート９０は、使用前に粘着剤５０が劣化するのを防止している。そして、使用時に着用者によって剥離シート９０が剥離される。
【００２５】
なお、剥離シート９０を有しない吸収性物品においては、吸収性物品を個別に包装する包装シートによって使用前に粘着剤が劣化するのを防止するように構成されていてもよい。粘着剤と包装シートが接する場合には、包装シートの表面には、粘着剤の粘着力を低下させることなく粘着剤を剥離可能にする処理を施すことが望ましい。
【００２６】
表面シート１０には、表面シートを厚み方向に圧縮した表面シート圧搾部１１が形成されている。表面シート圧搾部１１は、格子状に配置されている。
【００２７】
吸収性物品１には、表面シート１０及び吸収体３０を厚み方向に圧縮した圧搾部８０が形成されている。圧搾部８０は、長手方向Ｌに沿って延びる長手方向圧搾部８１と、幅方向に沿って延びる幅方向圧搾部８２と、間欠的に複数形成された点状圧搾部８３と、を有する。点状圧搾部８３の一部は、後述する第２領域ＮＡの外周に沿って配置された囲み圧搾部８４を構成する。
【００２８】
なお、圧搾部は、少なくとも表面シート１０及び吸収体３０を厚み方向Ｔに圧搾されて形成されていればよく、種々の構成を採用することができる。例えば、プレス加工やエンボス加工によって形成することができ、その形状は、格子網やハニカム形状であってもよい。
【００２９】
長手方向圧搾部８１は、囲み圧搾部８４よりも幅方向両外側において、囲み圧搾部８４に隣接して配置されている。長手方向圧搾部８１は、第２領域ＮＡの幅方向両側方に配置され、かつ第２領域ＮＡの幅方向外側から後述する第１領域ＰＡまで延びている。
【００３０】
長手方向圧搾部８１は、表面シート１０と吸収体３０とが厚み方向において圧縮されている。長手方向圧搾部８１は、長手方向Ｌに沿って２列に形成されており、幅方向内側に位置する第１長手方向圧搾部８１Ａと、第１長手方向圧搾部８１Ａよりも幅方向外側に配置された第２長手方向圧搾部８１Ｂとを有する。第１長手方向圧搾部８１Ａは、囲み圧搾部８４に隣接して配置されている。
【００３１】
長手方向圧搾部８１は、吸収体３０が厚み方向に圧縮されており、体液等を引き込み易い。長手方向圧搾部８１は、着用者の排泄口が当接する排泄口当接領域よりも幅方向外側に配置される。よって、長手方向圧搾部８１よりも幅方向外側への体液の拡散を抑制し、横漏れを防ぐことができる。
【００３２】
幅方向圧搾部８２は、幅方向Ｗに沿って形成されている。幅方向圧搾部８２は、表面シート１０及び吸収体３０が厚み方向において圧縮されて形成されている。幅方向圧搾部８２は、幅方向Ｗに沿って２列に形成されており、長手方向内側に位置する第１幅方向圧搾部８２Ａと、第１幅方向圧搾部よりも長手方向外側に配置された第２幅方向圧搾部８２Ｂとを有する。
【００３３】
長手方向圧搾部８１は、長手方向Ｌに沿った直線に対して傾斜するように形成されていてもよく、長手方向Ｌに沿った直線と、長手方向圧搾部８１とによって形成される角度（鋭角側）が４５度以下であるものとする。一方、幅方向圧搾部８２は、幅方向Ｗに沿った直線に対して傾斜するように形成されていてもよく、幅方向Ｗに沿った直線と、幅方向圧搾部８２とによって形成される角度（鋭角側）が４５度未満であるものとする。
【００３４】
ここで、長手方向圧搾部８１及び幅方向圧搾部８２は、図１に示すように、接続されて周回状の圧搾部を形成していてもよいし、接続されていなくてもよい。本実施の形態では、第１長手方向圧搾部８１Ａと第１幅方向圧搾部８２Ａとが連続して形成されており、第２長手方向圧搾部８１Ｂと第２幅方向圧搾部８２Ｂとが連続して形成されている。また、長手方向圧搾部及び幅方向圧搾部は、接続されて略Ｕ字状の圧搾部を形成していてもよいし、接続されていなくてもよい。図５において、長手方向圧搾部と幅方向圧搾部との境界Ｘを図示する。
【００３５】
点状圧搾部８３は、円形状であって、間欠的に複数形成されている。点状圧搾部８３は、第１長手方向圧搾部８１Ａ及び第１幅方向圧搾部８２Ａによって形成された周回状の圧搾部の内周側と、第１長手方向圧搾部８１Ａ及び第１幅方向圧搾部８２Ａによって形成された周回状の圧搾部の外周側（第２長手方向圧搾部８１Ｂ及び第２幅方向圧搾部８２Ｂによって形成された周回状の圧搾部の内周側）と、第２長手方向圧搾部８１Ｂ及び第２幅方向圧搾部８２Ｂによって形成された周回状の圧搾部の外周側と、に設けられている。
【００３６】
第１長手方向圧搾部８１Ａ及び第１幅方向圧搾部８２Ａによって形成された周回状の圧搾部の内周には、圧搾部８０が形成されていない第２領域ＮＡの外周に沿って配置された囲み圧搾部８４が形成されている。囲み圧搾部８４によって囲まれた第２領域ＮＡの前方には、複数の点状圧搾部８３が形成された第１領域ＰＡが配置されている(図５参照)。第１領域は、着用者の排泄口が当接する排泄口当接領域の中心を含むように配置されている。第１領域の後方に第２領域が配置されている。
【００３７】
なお、本実施の形態における第２領域は、圧搾部が形成されていない領域であるが、例えば、一部分（例えば、全体の５％以下の部分）に圧搾部が形成されている領域も含む概念である。また、図５において、第１領域ＰＡと、第２領域ＮＡとを斜線を付して示す。
【００３８】
なお、点状圧搾部８３は、間欠的に複数設けられていればよく、その形状は、円形に限られず、楕円形、星形、ハード形、菱形等であってもよく、限定されない。
【００３９】
点状圧搾部８３は、間欠的に配置されているため、幅方向に延びる幅方向圧搾部や長手方向に延びる長手方向圧搾部よりも硬くなり難い。しかし、点状圧搾部は、一部の領域の剛性が偏って硬くなることを防止することができ、装着感の悪化を抑制できる。
【００４０】
また、例えば、圧搾部が幅方向に延びていたり、長手方向に延びていたりすると、圧搾部によって保持される体液が前後方向や幅方向に拡散してしまうおそれがある。特に、吸収体３０の前側端部と吸収体３０の後側端部とにおいては、体液が拡散し過ぎると前漏れ等が発生するおそれがある。しかし、点状圧搾部は、円形であるため、保持した体液の拡散を抑制し、漏れを防ぐことができる。
【００４１】
圧搾部８０は、表面シート１０及び吸収体３０を厚み方向に圧縮して形成されており、比較的密度が高い部分となる。排泄口当接領域が形成される中央領域ＣＡの幅方向中央よりも外側に、長手方向圧搾部８１Ａ，８１Ｂが形成されており、排泄口当接領域が形成される中央領域ＣＡの長手方向中央よりも外側に幅方向圧搾部が形成されているため、着用者から排出された体液を、比較的密度が高い圧搾部８０によって引き込むことができる。
【００４２】
例えば、中央領域ＣＡの幅方向中央よりも幅方向外側に長手方向圧搾部８１が形成されているため、横漏れを防ぐことができ、中央領域ＣＡの長手方向中央よりも長手方向外側に幅方向圧搾部８２が形成されているため、前漏れ及び臀部における漏れを防止することができる。
【００４３】
圧搾部８０は、少なくとも表面シート１０及び吸収体３０を厚み方向に圧縮して形成されており、比較的硬い部分となる。囲み圧搾部８４の幅方向外側に長手方向圧搾部８１が形成されているため、幅方向外側から内側に向かって押圧された際に長手方向圧搾部８１を基点に内側に向けて変形し、外力を吸収することができる。
【００４４】
また、長手方向圧搾部８１よりも幅方向内側には、囲み圧搾部８４によって囲まれた第２領域ＮＡが配置されている。第２領域ＮＡは、圧搾部８０が形成されていなく、比較的剛性が低いため、外力によって変形し易い。よって、第２領域ＮＡは、第１領域ＰＡに対して幅方向外側から幅方向内側に向かう力が加えられた際に、長手方向圧搾部８１及び囲み圧搾部８４を介して幅方向内側に押圧され、着用者の肌当接面側に隆起可能に構成されている。
【００４５】
このように、着用者の体の凹み（臀部の幅方向中央）を埋めるように第２領域ＮＡが変形することにより、吸収性物品１のフィット性が向上する。また、表面シート側に膨出する第２領域ＮＡは、囲み圧搾部８４によって囲まれており、囲み圧搾部によって変形が遮断されるため、第２領域を部分的に変形させることが可能となる。
【００４６】
また、第１領域ＰＡは、圧搾部が形成されているため、第２領域よりも変形しにくい。第１領域ＰＡに対して幅方向外側から幅方向内側に向かう力が加えられた際に、第１領域が変形を吸収し難いため、長手方向圧搾部及び囲み圧搾部を介して幅方向内側に向かう力が第２領域に対して掛かり易くなる。
【００４７】
更に、第１領域が変形し難いため、第１領域ＰＡに対して幅方向外側から幅方向内側に向かう力が加えられた場合であっても、第１領域を排泄口に対向した状態で維持し易くなる。よって、排泄口当接領域近傍の吸収性能を確保することができる。
【００４８】
囲み圧搾部８４よりも長手方向外側には、点状圧搾部８３が形成されている。よって、囲み圧搾部８４よりも長手方向外側の領域の剛性を高め、囲み圧搾部８４によって囲まれた第２領域の変形を、その長手方向外側まで伝達し難くすることができる。例えば、囲み圧搾部８４よりも前方に点状圧搾部８３を設けることにより、排泄口当接領域を含む中央領域ＣＡの変形を抑制し、排泄口に対向して吸収体３０を配置することができる。
【００４９】
更に、囲み圧搾部８４よりも長手方向後側の点状圧搾部８３と、囲み圧搾部８４との間には、第１幅方向圧搾部８２Ａが形成されている。第１幅方向圧搾部８２Ａが形成されているため、囲み圧搾部８４によって囲まれた第２領域ＮＡの変形を、その後方まで伝達し難くすることができる。また、囲み圧搾部８４よりも後方の領域が変形した場合であっても、その変形を囲み圧搾部８４内部の第２領域ＮＡに伝わり難くすることができる。よって、第２領域が変形した状態を維持し易くなる。
【００５０】
更に、囲み圧搾部８４の周りに点状圧搾部８３を設けることにより、第２領域ＮＡの周囲の剛性を、第２領域ＮＡの剛性よりも高くすることができ、吸収性物品１の外側から内側に向かって力が掛かった際に、相対的に第２領域ＮＡを変形しやすくすることができる。
【００５１】
また、第２領域ＮＡの幅方向の長さは、吸収性物品の後方に向かって除々に短くなっている。臀部は、前方から後方になるにつれて凹みが減少し、最終的には背中へと連なる平らな形状をしている。よって、第２領域ＮＡの幅方向長さを後方に向かって徐々に短くすることにより、前方から後方に向かって第２領域の表面シート側への膨出量を減らし、吸収性物品をより身体にフィットさせることができる。このような観点から、第２領域の最大幅位置の幅方向長さは、１５ｍｍ〜４０ｍｍであり、より好ましくは、２０〜３５ｍｍである。第２領域の幅方向長さは、最大幅位置から長手方向後方に向かって徐々に短くなるように構成されている。また、第２領域の長手方向長さは、６０〜１２０ｍｍ程度が望ましい。
【００５２】
図６は、図１のＢ−Ｂ断面における吸収性物品の着用した状態を模式的に示した図である。（ａ）は、吸収性物品１を下着Ｓに装着した状態を示している。（ｂ）は、吸収性物品１が幅方向外側から内側に向けて押圧された状態を示している。
【００５３】
着用者の動き等による幅方向外側から内側に向けての外力は、股間部近傍に配置される中央領域に作用する。吸収性物品１が幅方向外側から内側に向けて押圧されると、中央領域を跨って配置された第１長手方向圧搾部８１Ａ及び第２長手方向圧搾部８１Ｂを基点に内側に向けて変形する。第１長手方向圧搾部８１Ａの幅方向内側への変形に伴って、囲み圧搾部８４が幅方向内側に変形し、囲み圧搾部８４よりも幅方向内側に配置された第２領域ＮＡが表面シート側に膨出する。すなわち、第２領域ＮＡは、幅方向外側からの外力によって生じる応力により、表面シート側に膨出するように構成されている。
【００５４】
なお、吸収性物品等の硬さは、例えば、ＪＩＳ-１０９６に規定されているガーレー法を用いて測定することができる。また、吸収体の目付及び密度は、例えば、以下の測定方法によって測定することができる。包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００５５】
なお、厚みは、以下のような測定方法によって測定することができる。具体的には、サンプルの吸収性物品を、液体窒素に含浸させて凍結させた後、剃刀でカットし、常温に戻した後、電子顕微鏡（例えば、キーエンス社ＶＥ７８００）を用いて、５０倍の倍率で測定する。ここで、サンプルの吸収性物品を凍結させる理由は、カット時の圧縮により厚みが変動するのを防ぐためである。
【００５６】
次に、第１の実施形態に係る吸収性物品１の製造方法の一部について説明する。なお、説明しない方法については、既存の方法を用いることができる。吸収性物品の製造方法は、第１ステップとして、表面シート生成工程を行う。具体的には、表面シートを厚み方向Ｔに圧縮加工し、表面シート圧搾部１１を形成する。この圧縮加工は、例えば、加熱及び加圧を行うエンボスロールに表面シート１０を通過させることで、格子状の凹凸加工を形成する。
【００５７】
次いで、第２ステップとして、表面シート接合工程を行う。具体的には、表面シートとサイドシート４１，４２とを、例えば熱溶着によって接着する。
【００５８】
第３ステップとして、吸収体成型工程を行う。具体的には、成型ドラムによって吸収体の材料となるパルプを成型して吸収体３０を成型する。なお、第１ステップ及び第２ステップの表面シートの製造工程と、第３ステップの吸収体成型工程の順序は、逆の順序であってもよい。
【００５９】
第４ステップにおいて、接合工程を行う。具体的には、第３ステップにおいて成型した吸収体と、第２ステップにおいて接合した表面シート及びサイドシートをと、を接合する接合工程を行う。
【００６０】
第５ステップにおいて、圧搾工程を行う。具体的には、吸収体３０と表面シート１０とを厚み方向に圧縮し、圧搾部８０を形成する。
【００６１】
第６ステップにおいて、裏面シート接合工程を行う。具体的には、圧搾部を形成した吸収体及び表面シート等と、裏面シートとを接合する。裏面シートを接合した後、接着剤を塗布する工程を備える。上記の工程により、本実施の形態に係る吸収性物品を製造することができる。
【００６２】
（第２の実施形態）
次いで、図７に基づいて第２の実施形態に係る吸収性物品１Ａについて説明する。なお、以下の実施形態の説明においては、第１の実施形態と異なる構成のみ説明し、第１の実施形態と同様の構成については、同符号を用いて説明を省略する。
【００６３】
第２の実施形態に係る吸収性物品１Ａは、第１の実施形態に係る吸収性物品１と囲み圧搾部８４の形状が異なっている。第２の実施形態に係る吸収性物品１Ａは、第２領域ＮＡにおける幅方向の長さが最も長くなる最大幅位置ＷＭが、第２領域ＮＡの長手方向中心よりも前方に配置されている。
【００６４】
第２領域ＮＡにおける幅方向の長さが最も長くなる最大幅位置ＷＭは、第２領域ＮＡにおいて最も幅方向外側に位置しており、吸収性物品が幅方向外側から内側に向けて押圧された際に、第２領域ＮＡを幅方向内側に向けて押圧する基点となる。着用者の動き等による幅方向外側から内側に向けての外力は、股間部近傍に配置される中央領域ＣＡに作用する。よって、第２領域ＮＡの変形の基点となる最大幅位置ＷＭが第２領域ＮＡの長手方向中心ＮＡＣＬよりも前方に位置することにより、中央領域ＣＡに作用する外力が変形の基点（最大幅位置ＷＭ）に伝達し易くなり、第２領域ＮＡを隆起させ易くできる。
【００６５】
また、吸収性物品が幅方向外側から幅方向内側に変形した状態において、第２領域ＮＡにおける最大幅位置ＷＭよりも幅方向内側の部分が最も着用者側に隆起する高さが高くなる。よって、第２領域ＮＡの最大幅位置は、着用者の身体の凹みを埋めることができるような位置に設けることが望ましい。
【００６６】
（第３の実施形態）
次いで、図８に基づいて第３の実施形態に係る吸収性物品１Ｂについて説明する。第３の実施形態に係る吸収性物品１Ｂは、第１の実施形態に係る吸収性物品１と囲み圧搾部８４の形状が異なっている。第３の実施形態に係る吸収性物品１Ｂは、長手方向圧搾部８１と点状圧搾部８３とによって囲み圧搾部８４が構成されている。
【００６７】
囲み圧搾部８４によって囲まれた第２領域ＮＡの幅方向外側には、点状圧搾部８３が形成されている。よって、第２領域ＮＡよりも幅方向外側の剛性を、第２領域ＮＡの剛性よりも相対的に高くすることができ、吸収性物品の外側から内側に向かって力が掛かった際に、第２領域ＮＡをより変形し易くすることができる。また、第３実施の形態に係る吸収性物品１Ｂの第２領域ＮＡは、中央領域の長手方向中心よりも後方において、中央領域ＣＡに跨って配置されている。
【００６８】
（第４の実施形態）
次いで、図９に基づいて第４の実施形態に係る吸収性物品１Ｃについて説明する。第４の実施形態に係る吸収性物品１Ｃは、第１の実施形態に係る吸収性物品１と圧搾部８０の形状が異なっている。第４の実施形態に係る吸収性物品１Ｃは、長手方向圧搾部８１と幅方向圧搾部８２とが連続して囲み圧搾部８４が形成されている。
【００６９】
囲み圧搾部８４の幅方向外側には、点状圧搾部８３と、一対の長手方向圧搾部８１とが形成されている。吸収性物品１Ｃには、長手方向圧搾部８１と囲み圧搾部８４が長手方向Ｌにおいて重なる重複領域ＯＡを有する。重複領域ＯＡ内に、第２領域ＮＡの最大幅位置ＷＭが設けられている。
【００７０】
最大幅位置ＷＭは、第２領域ＮＡにおいて最も幅方向外側に位置する部分であり、変形する際の基点となる部分である。幅方向外側からの内側に向かって力がかかった際には、最大幅位置ＷＭを基点として内側に変形する。この最大幅位置の幅方向外側に長手方向圧搾部が形成され、この長手方向圧搾部８１が中央領域ＣＡに配置されている。よって、中央領域ＣＡにおいて幅方向外側から幅方向内側に外力が作用した際に、長手方向圧搾部８１を介して、第２領域ＮＡの最大幅位置ＷＭが幅方向内側に変形し、第２領域ＮＡが着用者側へ膨出するように変形する。
【００７１】
なお、幅方向外側から幅方向内側に向かって外力が作用した際に、長手方向圧搾部８１から囲み圧搾部８４に対して効率よく外力を作用させるために、長手方向圧搾部８１と囲み圧搾部８４との幅方向における距離（最大幅位置ＷＭと長手方向圧搾部８１との距離）は、短い方が望ましい。
【００７２】
点状圧搾部８３は、ウイング部４３,４４の長手方向後部の根元部分から後方に延在している。点状圧搾部８３によってウイング部４３,４４の根元部分の剛性が高くなり、ウイング部４３,４４の根元部分が面状に保持され、ウイング部４３,４４の後部近傍から漏れを防ぐことができる。
【００７３】
（第５の実施形態）
次いで、図１０に基づいて第５の実施形態に係る吸収性物品１Ｄについて説明する。第５の実施形態に係る吸収性物品１Ｄは、第４の実施形態に係る吸収性物品１と長手方向圧搾部８１の形状が異なっており、かつ第２領域の構成が異なっている。
【００７４】
第５の実施形態に係る吸収性物品１Ｄは、第４の実施の形態に係る吸収性物品１Ｃと同様に、長手方向圧搾部８１と幅方向圧搾部８２とが連続して囲み圧搾部８４が形成されている。
【００７５】
囲み圧搾部８４に対する幅方向外側には、長手方向圧搾部８１が形成されている。長手方向圧搾部８１は、長手方向Ｌに沿って幅方向内側から外側に向かって曲がる第１曲線部８１Ｘと、長手方向に沿って幅方向外側から内側に向かって曲がる第２曲線部８１Ｙと、を有する。第１曲線部８１Ｘと第２曲線部８１Ｙとの境界である変曲点８１Ｚは、第２領域ＮＡの最大幅位置ＷＭよりも後方に配置されている。
【００７６】
第１曲線部８１Ｘと第２曲線部８１Ｙとは、曲線の形状が異なり、外力がかかった際に変形態様が異なる。また、長手方向圧搾部８１を伝播する内圧は、変曲点８１Ｚで遮断され、それより後方に力は伝わり難くなる。よって、例えば、変曲点よりも前方に位置する最大幅位置を基点に変形した場合に、その変形が変曲点によって遮断され、変曲点よりも後方に伝達し難くすることができる。
【００７７】
第２領域ＮＡに位置する吸収体３０には、長手方向Ｌに沿ったスリットＳＬが形成されている。スリットＳＬを形成することにより、その部分の剛性が低下する。スリットＳＬとその周囲に位置する第２領域ＮＡとの剛性差、及びスリットＳＬと第２領域ＮＡの周囲との剛性差により、スリットＳＬを基点に変形し易くなる。よって、表面シート１０側に膨出するように変形し易くなり、身体にフィットさせて吸収性物品１を配置することができる。
【００７８】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００７９】
例えば、本実施の形態に係る囲み圧搾部８４の最大幅位置ＷＭは、厚み方向Ｔにおいて、裏面シート２０に塗布された粘着剤５０と重なるように配置されていてもよい。粘着剤５０を介して吸収性物品１を下着Ｓに固定する際に、第２領域ＮＡの基点となる最大幅位置ＷＭを下着に対して固定することができる。また、最大幅位置よりも幅方向内側の領域の裏面側に粘着剤を付さないことにより、表面シート側に膨出する部分が下着から離れ易くなる。第２領域は、下着に固定されていないため、表面シート側に膨出し易くなり、身体に合わせた自由自在な変形を実現し易くなる。
【００８０】
囲み圧搾部８４の形状は、長手方向圧搾部８１及び幅方向圧搾部８２の形状と同じであってもよいし、長さや幅や面積等の形状が異なるように構成されていてもよい。また、囲み圧搾部の圧搾強度を、長手方向圧搾部８１及び幅方向圧搾部８２の圧搾強度と異なるように構成してもよい。例えば、囲み圧搾部８４の幅や面積を比較的小さくしたり、圧搾強度を小さくしたりすることにより、第２領域内の過度な剛性発生を防ぎ、体の変形に沿ったソフトなカーブを形成し、身体にフィットさせることはが可能となる。
【００８１】
例えば、長手方向圧搾部８１は、吸収性物品の変形基点となるため、一定以上の圧搾強度や剛性が求められる。また、長手方向圧搾部８１は、内股と接するのに対し、その内側に位置する囲み圧搾部８４は、身体の比較的デリケートな領域と接する。したがって、囲み圧搾部８４の圧搾強度や面積等を長手方向圧搾部８１よりも小さくすることにより、身体の比較的デリケートな領域と接する部分の肌触りを向上させることができる。このような観点から、囲み圧搾部８４は、点状圧搾部８３によって構成することが望ましい。
【００８２】
長手方向圧搾部は、第１長手方向圧搾部及び第２長手方向圧搾部の２本であってもよいし、１本であってもよい。また、例えば、吸収性物品は、吸収体の幅方向外側端部に、ギャザーが形成されていてもよい。
【符号の説明】
【００８３】
ＣＡ…中央領域、  ＣＡＣＬ…中央領域長手中心、  Ｆ１…前部領域、  Ｆ２…後部領域、  Ｌ…長手方向、  ＮＡＣＬ…長手方向中心、  ＯＡ…重複領域、  ＰＡ…第１領域、  ＳＬ…スリット、  Ｓ…下着、  Ｔ…厚み方向、  Ｗ…幅方向、  ＷＭ…最大幅位置、  Ｘ…境界、  １、１Ａ、１Ｂ、１Ｃ、１Ｄ…吸収性物品、  １０…表面シート、  １１…表面シート圧搾部、  ２０…裏面シート、  ３０…吸収体、  ３１…コア部、  ４１，４２…サイドシート、  ４３，４４…ウイング部、  ５０…粘着剤、  ６０…ホットメルト接着剤、  ８０…圧搾部、  ８１…長手方向圧搾部、  ８１Ａ…第１長手方向圧搾部、  ８１Ｂ…第２長手方向圧搾部、  ８２…幅方向圧搾部、  ８２Ａ…幅方向圧搾部、  ８２Ａ…第１幅方向圧搾部、  ８２Ｂ…第２幅方向圧搾部、  ８３…点状圧搾部、  ８４…囲み圧搾部、  ９０…剥離シート
【図１】
0005735869.tif 000002
【図２】
0005735869.tif 000003
【図３】
0005735869.tif 000004
【図４】
0005735869.tif 000005
【図５】
0005735869.tif 000006
【図６】
0005735869.tif 000007
【図７】
0005735869.tif 000008
【図８】
0005735869.tif 000009
【図９】
0005735869.tif 000010
【図１０】
0005735869.tif 000011